(57)【要約】      （修正有）【課題】２次側の電流増加が伴わない異常が生じた場合でも、確実にスイッチング電源回路を保護できるようにする。【解決手段】プリンターは、印刷機構部と、１次側の交流電圧を２次側の直流電圧に変換し、印刷機構部に直流電圧を供給するスイッチング電源回路１０と、スイッチング電源回路１０を制御するＳＯＣ１３１と、を備える。スイッチング電源回路１０は、１次側の整流回路Ｓ１の前段に、電力供給を制御するリレー回路ＲＹと、交流電圧を検出する交流電圧検出回路２１と、複数の過電流検出回路２２Ａ、２２Ｂと、を備える。ＳＯＣ１３１は、交流電圧検出回路２１が検出した交流電圧に応じて１の過電流検出回路を選択し、選択した過電流検出回路が所定以上の電流を検出した場合、リレー回路ＲＹをオフにして、電力供給を遮断する。【選択図】図２
2020031496.tif 000002
【特許請求の範囲】
【請求項１】
印刷機構部と、
１次側の交流電圧を２次側の直流電圧に変換し、前記印刷機構部に前記直流電圧を供給する電源と、
前記電源を制御する制御部と、を備え、
前記電源は、前記１次側の整流器の前段に、電力供給を制御するスイッチ回路と、前記交流電圧を検出する交流電圧検出回路と、複数の過電流検出回路と、を備え、
前記制御部は、前記交流電圧検出回路が検出した前記交流電圧に応じて１の前記過電流検出回路を選択し、選択した前記過電流検出回路が所定以上の電流を検出した場合、前記スイッチ回路をオフにして、前記電力供給を遮断する、
印刷装置。
【請求項２】
前記交流電圧検出回路は、第１電圧を示す前記交流電圧、又は、前記第１電圧より高い第２電圧を示す前記交流電圧を検出し、
前記第１電圧と前記第２電圧とは、地域に応じて異なる電圧である、
請求項１に記載の印刷装置。
【請求項３】
前記過電流検出回路は、抵抗とフォトカプラーとにより構成され、
複数の前記過電流検出回路の前記抵抗の値は、それぞれ異なる、
請求項１又は２に記載の印刷装置。
【請求項４】
前記抵抗は、突入電流防止用の抵抗と並列に配線されている、
請求項３に記載の印刷装置。
【請求項５】
前記スイッチ回路は、リレー回路である、
請求項１から４のいずれか一項に記載の印刷装置。
【請求項６】
１次側回路と、前記１次側回路の交流電圧を直流電圧に変換する２次側回路と、制御部とを備え、
前記１次側回路は、整流器の前段に、電力供給を制御するスイッチ回路と、前記交流電圧を検出する交流電圧検出回路と、複数の過電流検出回路と、を備え、
前記制御部は、前記交流電圧検出回路が検出した前記交流電圧に応じて１の前記過電流検出回路を選択し、選択した前記過電流検出回路が所定以上の電流を検出した場合、前記スイッチ回路をオフにして、前記電力供給を遮断する、
印刷装置の電源回路。
【発明の詳細な説明】
【技術分野】
【０００１】
本発明は、印刷装置、及び、印刷装置の電源回路に関する。
【背景技術】
【０００２】
従来、電源に異常が発生した際に、電源を保護する技術が知られている（例えば、特許文献１参照）。特許文献１は、１次側及び２次側を有するＤＣＤＣコンバーターである電源において、２次側の電流増加により２次側の異常を検出するとフィードバックを無効にし、２次側に供給される電力を低下させて電源を保護する技術を開示する。
【先行技術文献】
【特許文献】
【０００３】
【特許文献１】特開２０１６−３６２４２号公報
【発明の概要】
【発明が解決しようとする課題】
【０００４】
本発明は、２次側の電流増加を伴わない異常が生じた場合でも、確実に電源を保護できるようにすることを目的とする。
【課題を解決するための手段】
【０００５】
上記目的を達成する一態様は、印刷機構部と、１次側の交流電圧を２次側の直流電圧に変換し、前記印刷機構部に前記直流電圧を供給する電源と、前記電源を制御する制御部と、を備え、前記電源は、前記１次側の整流器の前段に、電力供給を制御するスイッチ回路と、前記交流電圧を検出する交流電圧検出回路と、複数の過電流検出回路と、を備え、前記制御部は、前記交流電圧検出回路が検出した前記交流電圧に応じて１の前記過電流検出回路を選択し、選択した前記過電流検出回路が所定以上の電流を検出した場合、前記スイッチ回路をオフにして、前記電力供給を遮断する、印刷装置である。
【０００６】
上記印刷装置において、前記交流電圧検出回路は、第１電圧を示す前記交流電圧、又は、前記第１電圧より高い第２電圧を示す前記交流電圧を検出し、前記第１電圧と前記第２電圧とは、地域に応じて異なる電圧であってもよい。
【０００７】
上記印刷装置において、前記過電流検出回路は、抵抗とフォトカプラーとにより構成され複数の前記過電流検出回路の前記抵抗の値は、それぞれ異なるように構成されてもよい。
【０００８】
上記印刷装置において、前記抵抗は、突入電流防止用の抵抗と並列に配線されているように構成されてもよい。
【０００９】
上記印刷装置において、前記スイッチ回路は、リレー回路であってもよい。
【００１０】
また、上記目的を達成する別の一態様は、１次側回路と、前記１次側回路の交流電圧を直流電圧に変換する２次側回路と、制御部とを備え、前記１次側回路は、整流器の前段に、電力供給を制御するスイッチ回路と、前記交流電圧を検出する交流電圧検出回路と、複数の過電流検出回路と、を備え、前記制御部は、前記交流電圧検出回路が検出した前記交流電圧に応じて１の前記過電流検出回路を選択し、選択した前記過電流検出回路が所定以上の電流を検出した場合、前記スイッチ回路をオフにして、前記電力供給を遮断する、印刷装置の電源回路である。
【図面の簡単な説明】
【００１１】
【図１】プリンターの構成を示す図。
【図２】スイッチング電源回路の構成を示す図。
【図３】ＳＯＣの動作を示すフローチャート。
【発明を実施するための形態】
【００１２】
図１は、プリンター１の構成を示す図である。プリンター１は、本発明の「印刷装置」に相当する。
図１に示すように、プリンター１は、スイッチング電源回路１０と、ロジック制御回路１１と、印刷制御回路１２とを備える。スイッチング電源回路１０は、本発明の「電源」に相当する。
【００１３】
スイッチング電源回路１０は、商用交流電源２にケーブル３を介して接続される。スイッチング電源回路１０は、商用交流電源２から交流電力が入力され、入力された交流電力を整流、及び平滑して直流電力に変換し、その後、降下するように電圧変換し、例えば４２ボルトの直流電力を負荷６に出力する。スイッチング電源回路１０は、商用交流電源２に接続するケーブル３に対し、着脱可能に構成される。スイッチング電源回路１０の詳細な構成については、後に説明する。
なお、本実施形態において負荷６とは、少なくともロジック制御回路１１、印刷制御回路１２、ロジック回路１３、及び、印刷機構部１４のいずれか、少なくともこれらのうち複数をまとめた総称、または、少なくともこれら全てをまとめた総称のことを示す。
【００１４】
商用交流電源２がスイッチング電源回路１０に入力する交流電圧は、単相或いは三相に応じて最大電圧が異なり、また、地域に応じても最大電圧が異なる。例えば、日本において商用交流電源２が出力する交流電圧の最大電圧は、単相の場合では１００ボルトであるのに対して、三相の場合では２００ボルトである。また、例えば、当該最大電圧は、単相である場合、日本では１００ボルトであるのに対し、欧州では２２０ボルトから２４０ボルトの範囲の電圧である。
【００１５】
本実施形態では、当該最大電圧の百の位が「１」である交流電圧を「１００ボルト圏電圧」という。１００ボルト圏電圧は、本発明の「第１電圧」に相当する。そして、１００ボルト圏電圧を示す交流電圧を出力する商用交流電源２を「１００ボルト圏電源」という。また、当該最大電圧の百の位が「２」である交流電圧を「２００ボルト圏電圧」という。２００ボルト圏電圧は、本発明の「第２電圧」に相当する。そして、２００ボルト圏電圧を示す交流電圧を出力する商用交流電源２を「２００ボルト圏電源」という。
【００１６】
ロジック制御回路１１は、入力された直流電力を降圧し、降圧した直流電力を後述するロジック回路１３に供給する。例えば、ロジック制御回路１１は、４２ボルトを３．３ボルトや、５ボルト等の４２ボルトより低い直流電圧に降圧し、降圧した直流電力をロジック回路１３に供給する。
【００１７】
印刷制御回路１２は、ＳＯＣ１３１の制御に従って、スイッチング電源回路１０から入力された直流電力に基づく印刷機構部１４への電力供給を制御する回路である。なお、ＳＯＣ１３１は、Ｓｙｓｔｅｍ−ｏｎ−Ｃｈｉｐの略であり、本発明の「制御部」に相当する。例えば、印刷制御回路１２は、４２ボルトの電力が入力され、入力された電力に基づいて、印刷機構部１４の各部に対する電力供給を制御する。
【００１８】
ロジック回路１３は、ＳＯＣ１３１とメモリー１３２とを備える。
ＳＯＣ１３１は、プリンター１の各部を制御する集積回路である。ＳＯＣ１３１は、図示しない演算実行部としてＣＰＵ等のプロセッサーを備える。ＳＯＣ１３１には、メモリー１３２が接続する。ＳＯＣ１３１は、メモリー１３２が記憶する制御プログラムを実行することによって、印刷機構部１４による印刷の動作を制御するとともに、プリンター１の各部を制御する。なお、ＳＯＣ１３１には、ＳＯＣ１３１の一時的なワークエリアとして機能するＲＡＭが接続していてもよい。また、ＳＯＣ１３１は、メモリー１３２、及び上述したＲＡＭを備えていてもよい。
【００１９】
メモリー１３２は、ＥＥＰＲＯＭ等の半導体記憶素子、或いは、ハードディスク等の記憶媒体を備え、ＳＯＣ１３１によって実行可能な制御プログラム、制御プログラムに係るデータ、及び、その他の各種データを不揮発的に記憶する。
【００２０】
印刷機構部１４は、搬送モーター１４１と、キャリッジ移動モーター１４２と、カッター駆動モーター１４３と、ヘッド駆動回路１４４とを備える。
【００２１】
搬送モーター１４１は、搬送ローラー１４１Ａを回転させるモーターであり、搬送ローラー１４１Ａと接続する。搬送ローラー１４１Ａは、印刷媒体を搬送方向に搬送させるローラーである。ＳＯＣ１３１は、搬送モーター１４１に駆動信号を出力し、搬送モーター１４１を駆動する。搬送モーター１４１の駆動に応じて搬送ローラー１４１Ａが回転し、搬送ローラー１４１Ａの回転に応じて、印刷媒体は、搬送方向に搬送される。
【００２２】
キャリッジ移動モーター１４２は、キャリッジ１４２Ａを印刷媒体の搬送方向と交差する走査方向へ移動させるモーターであり、キャリッジ１４２Ａと接続する。キャリッジ１４２Ａは、印刷媒体の搬送方向と交差する走査方向に延びたキャリッジ軸に支持され、キャリッジ軸に沿って、走査方向に印刷ヘッド１４４Ａを走査させる。なお、キャリッジ軸の図示は省略している。ＳＯＣ１３１は、キャリッジ移動モーター１４２に駆動信号を出力し、キャリッジ移動モーター１４２を駆動する。キャリッジ１４２Ａに搭載された印刷ヘッド１４４Ａは、キャリッジ移動モーター１４２の駆動に応じて走査方向へ移動する。
【００２３】
カッター駆動モーター１４３は、可動刃１４３Ａを移動させるモーターであり、可動刃１４３Ａと接続する。ＳＯＣ１３１は、カッター駆動モーター１４３に駆動信号を出力し、カッター駆動モーター１４３を駆動する。カッター駆動モーター１４３の駆動に応じて可動刃１４３Ａが移動し、印刷媒体は、切断される。
【００２４】
ヘッド駆動回路１４４は、印刷ヘッド１４４Ａと接続する。印刷ヘッド１４４Ａは、インクジェットヘッドであり、例えばＣＭＫＹの複数色のノズル列を備える。印刷ヘッド１４４Ａは、図示しないインクカートリッジからインクの供給を受けて、各ノズル列に設けられたノズルからインクを吐出して印刷媒体の印刷面にドットを形成して文字や画像等を印刷する。ヘッド駆動回路１４４は、ＳＯＣ１３１の制御で、印刷ヘッド１４４Ａのノズルに対応して設けられたアクチュエーターを駆動し、ノズルからインクを吐出させる。ノズルからのインクの吐出に応じて、印刷媒体の印刷面には、ドットが形成される。
【００２５】
入力部１５は、プリンター１に設けられた操作スイッチや、タッチパネル等の入力手段を備え、ユーザーの入力手段に対する操作を検出し、ＳＯＣ１３１に出力する。ＳＯＣ１３１は、入力部１５からの入力に基づいて、入力手段に対する操作に対応する処理を実行する。
【００２６】
表示部１６は、複数のＬＥＤや、表示パネル等を備え、ＳＯＣ１３１の制御で、ＬＥＤを所定の態様で点灯／消灯や、表示パネルへの情報の表示等を実行する。
【００２７】
次に、プリンター電源回路１７の構成について説明する。プリンター電源回路１７は、スイッチング電源回路１０と、ＳＯＣ１３１とを少なくとも含んで構成される。プリンター電源回路１７は、本発明の「印刷装置の電源回路」に相当する。
【００２８】
図２は、プリンター電源回路１７の構成を示す図である。
【００２９】
図２に示すように、プリンター電源回路１７のスイッチング電源回路１０は、１次側回路１０Ａと２次側回路１０Ｂと有する。１次側回路１０Ａは、スイッチング電源回路１０の１次側の回路を示す。１次側とは、トランスＴＲを基準にして、商用交流電源２から電力が直接供給される側を示す。２次側回路１０Ｂは、スイッチング電源回路１０の２次側の回路を示す。２次側とは、負荷６に電力を供給する側を示す。
【００３０】
スイッチング電源回路１０は、１次側回路１０Ａが商用交流電源２に接続し、２次側回路１０Ｂが負荷６に接続する。スイッチング電源回路１０は、商用交流電源２から入力される入力電圧Ｖｉｎを交流電圧から直流電圧に変換し、変換した直流電圧を出力電圧Ｖｏｕｔとして負荷６に出力する。
【００３１】
１次側回路１０Ａは、商用交流電源２に接続される整流回路Ｓ１と、電解コンデンサーＣ１と、トランスＴＲの１次巻線Ｌ１と、スイッチング回路２０１とを備える。整流回路Ｓ１は、本発明の「整流器」に相当する。１次側回路１０Ａでは、交流電圧である入力電圧Ｖｉｎが、整流回路Ｓ１、及び電解コンデンサーＣ１によって整流、及び平滑化される。１次側回路１０Ａは、スイッチング回路２０１のスイッチング動作によって、１次巻線Ｌ１に印加される電圧が制御されるスイッチング方式の回路として構成される。
【００３２】
スイッチング回路２０１は、制御ＩＣ２０１Ａと、トランジスターＱ１とを備える。ＩＣは、Ｉｎｔｅｇｒａｔｅｄ  Ｃｉｒｃｕｉｔの略である。本実施形態では、トランジスターＱ１にＦＥＴを用いる。制御ＩＣ２０１Ａは、後述するフォトカプラーＰｃの出力に応じてトランジスターＱ１のゲートに入力する電圧を変化させる。具体的には、制御ＩＣ２０１Ａは、トランジスターＱ１のゲートにパルス電圧を出力し、トランジスターＱ１をオンオフさせる。これにより、トランジスターＱ１は、オンオフの動作であるスイッチング動作を行う。なお、トランジスターＱ１がオンとは、トランジスターＱ１のソースとドレインとの間を導通状態にすることを示し、トランジスターＱ１がオフとは、トランジスターＱ１のソースとドレインとの間を遮断状態にすることを示す。制御ＩＣ２０１Ａは、フォトカプラーＰｃの出力に応じてトランジスターＱ１のゲートに出力するスイッチング信号のパルス幅を制御することにより、トランジスターＱ１のオンオフの期間を制御する。
【００３３】
制御ＩＣ２０１Ａは、後述するフィードバック電圧が印加されるフィードバック端子Ｔ１と、トランジスターＱ１のゲートにパルス電圧を出力する出力端子Ｔ２と、出力電流の検出結果を示す検出電圧が印加される検出端子Ｔ３とを備える。
【００３４】
２次側回路１０Ｂは、トランスＴＲの２次側の巻線である２次巻線Ｌ２と、整流素子Ｓ２と、電解コンデンサーＣ２とを備える。１次側回路１０Ａの１次巻線Ｌ１に電圧が印加されると、２次巻線Ｌ２には、１次巻線Ｌ１の巻線数と２次巻線Ｌ２の巻線数との比に応じた電圧が誘起される。２次巻線Ｌ２に誘起された電圧は、整流素子Ｓ２、及び電解コンデンサーＣ２によって、整流、及び平滑化され、負荷６に出力される。
【００３５】
スイッチング電源回路１０では、スイッチング回路２０１のスイッチング動作によって、１次巻線Ｌ１に印加される電圧が変化すると、２次巻線Ｌ２に誘起される電圧が変化し、２次側回路１０Ｂの出力電圧Ｖｏｕｔが変化する。
【００３６】
２次側回路１０Ｂは、出力端子ＯＵＴと出力端子ＧＮＤ２との間に、抵抗Ｒ１、及び、抵抗Ｒ２を備える。抵抗Ｒ１と抵抗Ｒ２とは、直列に接続する。抵抗Ｒ１は、一端が出力端子ＯＵＴと接続し、他端がノードＰ１において抵抗Ｒ２の一端と接続する。抵抗Ｒ２は、一端がノードＰ１において抵抗Ｒ１と接続し、他端が出力端子ＧＮＤ２と接続する。
【００３７】
ノードＰ１には、シャントレギュレーターＳＲが接続する。シャントレギュレーターＳＲは、内部に、例えば２．５ボルトの所定の基準電圧を生成する基準電圧回路を備える。シャントレギュレーターＳＲは、例えばＩＣで構成され、２次巻線Ｌ２の両端の電圧が抵抗Ｒ１と抵抗Ｒ２とにより分圧されたノードＰ１における電圧（以下、「Ｐ１電圧」という。）と、内部の基準電圧回路が生成した基準電圧とを比較する。ここでのＰ１電圧は、出力電圧Ｖｏｕｔを抵抗Ｒ１と抵抗Ｒ２とにより分圧した電圧である。シャントレギュレーターＳＲは、カソードがノードＰ２において抵抗Ｒ３の一端と接続し、アノードが出力端子ＧＮＤ２と接続する。
【００３８】
ノードＰ２には、抵抗Ｒ３の一端が接続する。抵抗Ｒ３は、シャントレギュレーターＳＲに一定の電流を供給するための抵抗であり、一端がノードＰ２においてシャントレギュレーターＳＲのカソードと接続し、他端が出力端子ＯＵＴに接続する。
【００３９】
シャントレギュレーターＳＲのカソードと、出力端子ＯＵＴとの間には、フォトカプラーＰｃの発光ダイオードＤｐが接続される。
【００４０】
２次側回路１０Ｂ側の出力電圧Ｖｏｕｔが上昇し、Ｐ１電圧が基準電圧を上回る場合、シャントレギュレーターＳＲは、カノードからアノードの方向に電流を流す。これにより、シャントレギュレーターＳＲは、フォトカプラーＰｃ１を構成するフォトダイオードＤｐ１に電流を流す。そして、フォトダイオードＤｐ１に電流が流れると、フォトダイオードＤｐ１は、発光する。フォトダイオードＤｐ１から発光された光は、フォトダイオードＤｐ１とともにフォトカプラーＰｃ１を構成するフォトトランジスターＱｐ１によって受光される。そして、フォトトランジスターＱｐ１が、フォトダイオードＤｐ１から照射した光を受光すると、フォトトランジスターＱｐ１のコレクターとエミッターとの間には、フィードバック電流が流れる。フォトトランジスターＱｐ１にフィードバック電流が流れると、制御ＩＣ２０１Ａのフィードバック端子Ｔ１には、フィードバック電流に基づくフィードバック電圧が印加される。制御ＩＣ２０１Ａは、フィードバック端子Ｔ１に印加されるフィードバック電圧に基づいて、１次巻線Ｌ１に印加される電圧が減少するように、トランジスターＱ１に出力するパルスを制御し、出力電圧Ｖｏｕｔを降下させる。
【００４１】
一方、出力電圧Ｖｏｕｔが降下し、Ｐ１電圧が基準電圧を下回る場合、シャントレギュレーターＳＲは、フォトカプラーＰｃ１に電流を流さない。このため、フォトトランジスターＱｐ１のコレクター、エミッター間には、フィードバック電流が流れない。これにより、制御ＩＣ２０１Ａは、１次巻線Ｌ１に印加される電圧が増加するようトランジスターＱ１を制御し、出力電圧Ｖｏｕｔを上昇させる。
【００４２】
このように、シャントレギュレーターＳＲは、Ｐ１電圧が基準電圧を上回る場合に、出力電圧Ｖｏｕｔを降下させ、Ｐ１電圧が基準電圧を下回る場合に出力電圧Ｖｏｕｔを上昇させる。つまり、シャントレギュレーターＳＲは、Ｐ１電圧と基準電圧とが等しくなるよう出力電圧Ｖｏｕｔを制御することで、出力電圧Ｖｏｕｔが一定の電圧となるよう制御する定電圧制御を実行する。
【００４３】
前述した通り、制御ＩＣ２０１Ａは、検出端子Ｔ３を備える。検出端子Ｔ３には、抵抗Ｒ４が接続する。抵抗Ｒ４には、負荷６への出力電流に対し、１次巻線Ｌ１の巻線数と２次巻線Ｌ２の巻線数との比に応じた電流が流れる。抵抗Ｒ４は、当該電流を電圧に変換し、検出端子Ｔ３には、当該電圧が、出力電流の検出結果を示す検出電圧として印加される。制御ＩＣ２０１Ａは、検出端子Ｔ３に印加される検出電圧と、フィードバック端子Ｔ１に印加されるフィードバック電圧とを比較し、比較結果に基づいてトランジスターＱ１をオンにする期間を設定する。
【００４４】
スイッチング電源回路１０の１次側回路１０Ａは、整流回路Ｓ１の前段に、突入電流防止用の抵抗Ｒ５が接続される。なお、整流回路Ｓ１の前段とは、整流回路Ｓ１より先に商用交流電源２から電力が供給される箇所を示す。
【００４５】
また、１次側回路１０Ａは、抵抗Ｒ５に直列に接続するリレー回路ＲＹを備える。リレー回路ＲＹは、本発明の「スイッチ回路」に相当する。リレー回路ＲＹは、鉄心及びコイルから構成される電磁石ＤＫと、操作子ＳＳと、端子Ｔ４と、端子Ｔ５とを備える。電磁石ＤＫは、トランジスターＱ２を介してＳＯＣ１３１の出力端子Ｔ６に接続する。本実施形態の電磁石ＤＫは、トランジスターＱ２のベースにＳＯＣ１３１が「Ｈｉｇｈ」レベルの電圧を印加されると励磁され、トランジスターＱ２のベースに「Ｌｏｗ」レベルの電圧を印加されると励磁されない。電磁石ＤＫが励磁されると、操作子ＳＳの状態が端子Ｔ４と端子Ｔ５との間を接続する状態になり、リレー回路ＲＹは、商用交流電源２から入力される交流電力をスイッチング電源回路１０に供給する。一方で、電磁石ＤＫが励磁されない場合、操作子ＳＳの状態が端子Ｔ４と端子Ｔ５との間を接続しない状態となり、リレー回路ＲＹは、商用交流電源２から入力される交流電力をスイッチング電源回路１０に供給しない。つまり、リレー回路ＲＹは、交流電力の供給を遮断する。リレー回路ＲＹにより交流電力の供給、及び遮断を行うことで、以下に示す効果を奏する。一般に、リレー回路ＲＹは、トランジスター等に比べて過電流及び過電圧に対する耐久性が高い。そのため、交流電力の供給、及び遮断を行う素子にリレー回路ＲＹを採用することで、過電流及び過電圧に対して耐久性を確保するために、特殊な電子部品や、多くの電子部品を具備する必要がなく、コストアップを抑制できる。
【００４６】
以下の説明において、操作子ＳＳの状態が端子Ｔ４と端子Ｔ５とを接続する状態にすることを、リレー回路ＲＹをオンにすると表現する。また、操作子ＳＳの状態が端子Ｔ４と端子Ｔ５とを接続しない状態にすることを、リレー回路ＲＹをオフにすると表現する。
【００４７】
リレー回路ＲＹと整流回路Ｓ１との間に、スイッチング電源回路１０は、交流電圧検出回路２１、第１過電流検出回路２２Ａ、及び第２過電流検出回路２２Ｂを備える。交流電圧検出回路２１は、リレー回路ＲＹと整流回路Ｓ１との間において、第１過電流検出回路２２Ａ及び第２過電流検出回路２２Ｂの前段に設けられる。以下、第１過電流検出回路２２Ａと第２過電流検出回路２２Ｂとを区別しない場合、「過電流検出回路２２」と総称する。
【００４８】
交流電圧検出回路２１は、ツェナーダイオードＺＤ１、ＺＤ２、ＺＤ３、フォトカプラーＰｃ２、Ｐｃ３、及び、電流制限用の抵抗Ｒ６を備える。
【００４９】
ツェナーダイオードＺＤ１は、アノードが入力端子ＧＮＤ１に接続し、カソードがツェナーダイオードＺＤ２に接続する。
【００５０】
ツェナーダイオードＺＤ１は、商用交流電源２から正の交流電圧が印加された際に、正の交流電圧が自身の降伏電圧以下である場合、カソード・アノード間が導通せず、電流がほとんど流れない。一方で、ツェナーダイオードＺＤ１は、印加された正の交流電圧が自身の降伏電圧を上回ると、カソード・アノード間が導通して電流が流れる。なお、ツェナーダイオードＺＤ１にとって、正の交流電圧は、順方向に対する逆バイアスである。
また、ツェナーダイオードＺＤ１は、商用交流電源２から負の交流電圧が印加された際に、負の交流電圧の絶対値が自身の順方向電圧以下である場合、カソード・アノード間が導通せず、電流がほとんど流れない。一方で、ツェナーダイオードＺＤ１は、商用交流電源２から負の交流電圧が印加された際に、負の交流電圧の絶対値が自身の順方向電圧を上回る場合、カソード・アノード間が導通し、電流が流れる。なお、ツェナーダイオードＺＤ１にとって、負の交流電圧は、順方向に対するバイアスである。
【００５１】
ツェナーダイオードＺＤ２とツェナーダイオードＺＤ３とは、直列に接続する。ツェナーダイオードＺＤ２は、カソードがツェナーダイオードＺＤ１に接続し、アノードがツェナーダイオードＺＤ３に接続する。
【００５２】
ツェナーダイオードＺＤ２、ＺＤ３は、商用交流電源２から負の交流電源が印加された際に、負の交流電圧の絶対値がツェナーダイオードＺＤ２、ＺＤ３の降伏電圧の合計以下である場合、電流がほとんど流れない。一方で、ツェナーダイオードＺＤ２、ＺＤ３は、負の交流電圧の絶対値がツェナーダイオードＺＤ２、ＺＤ３の降伏電圧の合計を下回ると、電流が流れる。なお、ツェナーダイオードＺＤ２、ＺＤ３にとって、負の交流電圧は、順方向に対する逆バイアスである。
また、ツェナーダイオードＺＤ２、ＺＤ３は、商用交流電源２から正の交流電圧が印加された際に、正の交流電圧がツェナーダイオードＺＤ２、ＺＤ３の順方向電圧の合計以下である場合、カソード・アノード間が導通せず、電流がほとんど流れない。一方で、ツェナーダイオードＺＤ２、ＺＤ３は、商用交流電源２から正の交流電圧が印加された際に、正の交流電圧がツェナーダイオードＺＤ２、ＺＤ３の順方向電圧の合計を上回る場合、カソード・アノード間が導通し、電流が流れる。なお、ツェナーダイオードＺＤ２、ＺＤ３にとって、正の交流電圧は、順方向に対するバイアスである。
【００５３】
フォトカプラーＰｃ２は、フォトダイオードＤｐ２と、フォトトランジスターＱｐ２とにより構成される。フォトダイオードＤｐ２は、カソードがノードＰ２に接続し、アノードがノードＰ３に接続する。フォトトランジスターＱｐ２は、コレクターが接地されエミッターがＳＯＣ１３１の入力端子Ｔ７に接続する。フォトダイオードＤｐ２は、商用交流電源２から正の交流電圧が印加されツェナーダイオードＺＤ１が電流を流すと、順方向に電流が流れて発光する。すると、フォトトランジスターＱｐ２は、フォトダイオードＤｐ２が照射した光を受光し、コレクターとエミッターとの間が導通する。これにより、抵抗Ｒ７に受光した光量に対応する電流が流れ、ノードＰ４には、電圧が生じる。ノードＰ４に生じた電圧は、ＳＯＣ１３１の入力端子Ｔ７に入力される。なお、フォトトランジスターＱｐ２は、商用交流電源２から負の交流電圧が印加された場合、ツェナーダイオードＺＤ１に電流が流れても順方向に電流が流れないため、発光しない。そのため、この場合、フォトトランジスターＱｐ２は、コレクターとエミッターとの間を遮断し、ノードＰ４には電圧が生じない。
【００５４】
フォトカプラーＰｃ３は、フォトダイオードＤｐ３と、フォトトランジスターＱｐ３とにより構成される。フォトダイオードＤｐ３は、カソードがノードＰ２に接続し、アノードがノードＰ３に接続する。フォトトランジスターＱｐ３は、コレクターが接地されエミッターがＳＯＣ１３１の入力端子Ｔ８に接続する。フォトダイオードＤｐ３は、商用交流電源２から負の交流電圧が印加されツェナーダイオードＺＤ２、ＺＤ３が電流を流すと、順方向に電流が流れて発光する。すると、フォトトランジスターＱｐ３は、フォトダイオードＤｐ３が照射した光を受光し、コレクターとエミッターとの間が導通する。これにより、抵抗Ｒ８に受光した光量に対応する電流が流れ、ノードＰ５には、電圧が生じる。ノードＰ５に生じた電圧は、ＳＯＣ１３１の入力端子Ｔ８に入力される。なお、フォトトランジスターＱｐ３は、商用交流電源２から正の交流電圧が印加された場合、ツェナーダイオードＺＤ２，ＺＤ３に電流が流れても順方向に電流が流れないため、発光しない。そのため、この場合、フォトトランジスターＱｐ３は、コレクターとエミッターとの間を遮断し、ノードＰ５には電圧が生じない。
【００５５】
本実施形態のフォトカプラーＰｃ２は、商用交流電源２が１００ボルト圏電源であって、交流電圧検出回路２１に１００ボルト圏電圧の交流電圧が印加している場合に、フォトダイオードＤｐ２が発光する。また、本実施形態のフォトカプラーＰｃ３は、商用交流電源２が２００ボルト圏電源であって、交流電圧検出回路２１に２００ボルト圏電圧の交流電圧が印加している場合に、フォトダイオードＤｐ２が発光する。このフォトカプラーＰｃ２、Ｐｃ３により、交流電圧検出回路２１は、商用交流電源２の交流電圧が１００ボルト圏電圧を示す交流電圧であるのか、２００ボルト圏電圧を示す交流電圧であるのかを検出する。
なお、ツェナーダイオードＺＤ１、ＺＤ２、ＺＤ３のそれぞれは、１００ボルト圏電圧が印加された際にフォトカプラーＰｃ２が発光し、２００ボルト圏電圧が印加された際にフォトカプラーＰｃ２、ＰＣ３が発光するような降伏電圧を有する素子が採用される。
【００５６】
第１過電流検出回路２２Ａは、抵抗Ｒ１１とフォトカプラーＰｃ４とを備える。抵抗Ｒ１１は、突入電流防止用の抵抗Ｒ５と並列に接続し、一端が入力端子ＩＮに接続して他端がフォトカプラーＰｃ４のフォトダイオードＤｐ４に接続する。フォトカプラーＰｃ４は、フォトダイオードＤｐ４とフォトトランジスターＱｐ４を備える。フォトダイオードＤｐ４は、アノードが抵抗Ｒ１１と接続し、カソードが入力端子ＩＮと接続する。フォトトランジスターＱｐ４は、コレクターが接地され、エミッターがＳＯＣ１３１の入力端子Ｔ９と接続する。
【００５７】
第１過電流検出回路２２Ａは、スイッチング電源回路１０が１００ボルト圏電源と接続する場合、抵抗Ｒ５に所定の電流値以上（例えば、２Ａ（アンペア）以上）の電流が流れた際にフォトダイオードＤｐ４に電流が流れてフォトダイオードＤｐ２が発光する。つまり、第１過電流検出回路２２Ａは、フォトダイオードＤｐ４により、所定の電流値以上の電流を過電流として検出する。なお、抵抗Ｒ１１は、抵抗Ｒ５に所定の電流値以上の電流が流れた際に電圧が生じるような抵抗値の抵抗が採用される。フォトトランジスターＱｐ４は、フォトダイオードＤｐ４が照射した光を受光し、コレクターとエミッターとの間が導通する。これにより、抵抗Ｒ９に受光した光量に対応する電流が流れ、ノードＰ６には、電圧が生じる。ノードＰ６に生じた電圧は、ＳＯＣ１３１の入力端子Ｔ９に入力される。
【００５８】
第２過電流検出回路２２Ｂは、抵抗Ｒ１２とフォトカプラーＰｃ５とを備える。抵抗Ｒ１２は、突入電流防止用の抵抗Ｒ５と並列に接続し、一端が入力端子ＩＮに接続して他端がフォトカプラーＰｃ５のフォトダイオードＤｐ５に接続する。フォトカプラーＰｃ５は、フォトダイオードＤｐ５とフォトトランジスターＱｐ５とを備える。フォトダイオードＤｐ５は、アノードが抵抗Ｒ１２と接続し、カソードが入力端子ＩＮと接続する。フォトトランジスターＱｐ５は、コレクターが接地され、エミッターがＳＯＣ１３１の入力端子Ｔ１０と接続する。
【００５９】
第２過電流検出回路２２Ｂは、スイッチング電源回路１０が２００ボルト圏電源と接続する場合、抵抗Ｒ５に所定の電流値以上（例えば、１Ａ（アンペア）以上）の電流が流れた際にフォトダイオードＤｐ５に電流が流れてフォトダイオードＤｐ５が発光する。つまり、第２過電流検出回路２２Ｂは、フォトダイオードＤｐ５により、所定の電流値以上の電流を過電流として検出する。なお、抵抗Ｒ１２は、抵抗Ｒ５に所定の電流値以上の電流が流れた際に電圧が生じるような抵抗値を有する抵抗であって、抵抗Ｒ１１と異なる値の抵抗値の抵抗が採用される。フォトトランジスターＱｐ５は、フォトダイオードＤｐ５が照射した光を受光すると、コレクターとエミッターとの間が導通する。これにより、抵抗Ｒ１０に受光した光量に対応する電流が流れ、ノードＰ７には、電圧が生じる。ノードＰ７に生じた電圧は、ＳＯＣ１３１の入力端子Ｔ１０に入力される。
【００６０】
次に、プリンター電源回路１７のＳＯＣ１３１の動作について説明する。
図３は、ＳＯＣ１３１の動作を示すフローチャートである。
【００６１】
図３に示すフローチャートの説明では、スイッチング電源回路１０がケーブル３を介して商用交流電源２を接続していることを前提とする。また、図３に示すフローチャートの開始時点では、ＳＯＣ１３１は、出力端子Ｔ６から「Ｈｉｇｈ」レベルの電圧を出力しているものとする。すなわち、図３に示すフローチャートの開始時点では、リレー回路ＲＹがオンであるとする。
【００６２】
ＳＯＣ１３１は、スイッチング電源回路１０に接続している商用交流電源２が１００ボルト圏電源か２００ボルト圏電源かを判別する（ステップＳＡ１）。
【００６３】
ＳＯＣ１３１は、入力端子Ｔ７、Ｔ８から入力される電圧に基づいて、スイッチング電源回路１０に接続している商用交流電源２が１００ボルト圏電源か２００ボルト圏電源かを判別する。
交流電圧検出回路２１は、商用交流電源２が１００ボルト圏電源であると、フォトカプラーＰｃ２、及びフォトカプラーＰｃ３のうちフォトカプラーＰｃ２が発光する。そのため、商用交流電源２が１００ボルト圏電源である場合、入力端子Ｔ７には電圧が入力され、入力端子Ｔ８には電圧が入力されない。ＳＯＣ１３１は、入力端子Ｔ７、Ｔ８のうち、入力端子Ｔ７のみ電圧が入力された場合、スイッチング電源回路１０に接続している商用交流電源２が１００ボルト圏電源であると判別する。
また、交流電圧検出回路２１は、商用交流電源２が２００ボルト圏電源であると、フォトカプラーＰｃ２、及びフォトカプラーＰｃ３が発光する。そのため、商用交流電源２が２００ボルト圏電源である場合、入力端子Ｔ７、Ｔ８には電圧が入力される。ＳＯＣ１３１は、入力端子Ｔ７、Ｔ８から電圧が入力された場合、スイッチング電源回路１０に接続している商用交流電源２が２００ボルト圏電源であると判別する。
【００６４】
ＳＯＣ１３１は、スイッチング電源回路１０に接続している商用交流電源２が１００ボルト圏電源であると判別した場合（ステップＳＡ１：「１００ボルト圏電源」）、ステップＳＡ２の処理を実行する。すなわち、ＳＯＣ１３１は、第１過電流検出回路２２Ａ、及び第２過電流検出回路２２Ｂのうち、スイッチング電源回路１０に流れる過電流を検出する回路として、第１過電流検出回路２２Ａを選択する（ステップＳＡ２）。ＳＯＣ１３１は、入力端子Ｔ９、Ｔ１０のうち、電圧が入力されたか否かを監視する入力端子を入力端子Ｔ９に選択することで、第１過電流検出回路２２Ａの選択を行う。
【００６５】
次いで、ＳＯＣ１３１は、第１過電流検出回路２２Ａが所定以上の電流を検出したか否かを判別する（ステップＳＡ３）。ＳＯＣ１３１は、入力端子Ｔ９に電圧が入力された場合、第１過電流検出回路２２Ａが所定以上の電流を検出したと判別し、入力端子Ｔ９に電圧が入力されていない場合、第１過電流検出回路２２Ａが所定以上の電流を検出したと判別する。
【００６６】
ＳＯＣ１３１は、第１過電流検出回路２２Ａが所定以上の電流を検出していないと判別した場合（ステップＳＡ３：ＮＯ）、出力端子Ｔ６からの「Ｈｉｇｈ」レベルの電圧の出力を継続し、リレー回路ＲＹのオンを継続する（ステップＳＡ４）。
【００６７】
一方で、ＳＯＣ１３１は、第１過電流検出回路２２Ａが所定以上の電流を検出したと判別した場合（ステップＳＡ３：ＹＥＳ）、出力端子Ｔ６から「Ｌｏｗ」レベルの電圧を出力して、リレー回路ＲＹをオフにする（ステップＳＡ４）。このようにリレー回路ＲＹをオフにすることで、ＳＯＣ１３１は、商用交流電源２からの電力供給を遮断する。
【００６８】
ステップＳＡ１の説明に戻り、ＳＯＣ１３１は、スイッチング電源回路１０に接続している商用交流電源２が２００ボルト圏電源であると判別した場合（ステップＳＡ１：「２００ボルト圏電源」）、ステップＳＡ６の処理を実行する。すなわち、ＳＯＣ１３１は、第１過電流検出回路２２Ａ、及び第２過電流検出回路２２Ｂのうち、スイッチング電源回路１０に流れる過電流を検出する回路として、第２過電流検出回路２２Ｂを選択する（ステップＳＡ６）。より詳細には、ＳＯＣ１３１は、入力端子Ｔ９、Ｔ１０のうち、電圧が入力されたか否かを監視する入力端子を入力端子Ｔ１０に選択することで、第２過電流検出回路２２Ａの選択を行う。
【００６９】
次いで、ＳＯＣ１３１は、第２過電流検出回路２２Ｂが所定以上の電流を検出したか否かを判別する（ステップＳＡ７）。ＳＯＣ１３１は、入力端子Ｔ１０に電圧が入力された場合、第２過電流検出回路２２Ｂが所定以上の電流を検出したと判別し、入力端子Ｔ１０に電圧が入力されていない場合、第２過電流検出回路２２Ｂが所定以上の電流を検出したと判別する。
【００７０】
ＳＯＣ１３１は、第２過電流検出回路２２Ｂが所定以上の電流を検出していないと判別した場合（ステップＳＡ７：ＮＯ）、出力端子Ｔ６からの「Ｈｉｇｈ」レベルの電圧の出力を継続し、リレー回路ＲＹのオンを継続する（ステップＳＡ８）。
【００７１】
一方で、ＳＯＣ１３１は、第２過電流検出回路２２Ｂが所定以上の電流を検出したと判別した場合（ステップＳＡ７：ＹＥＳ）、出力端子Ｔ６から「Ｌｏｗ」レベルの電圧を出力して、リレー回路ＲＹをオフにする（ステップＳＡ９）。このようにリレー回路ＲＹをオフにすることで、ＳＯＣ１３１は、商用交流電源２からの電力供給を遮断する。
【００７２】
以上のように、ＳＯＣ１３１は、交流電圧検出回路２１が検出した交流電圧が１００ボルト圏電圧を示す交流電圧である場合に第１過電流検出回路２２Ａを選択する。また、ＳＯＣ１３１は、交流電圧検出回路２１が検出した交流電圧が２００ボルト圏電圧を示す交流電圧である場合に第２過電流検出回路２２Ｂを選択する。そして、ＳＯＣ１３１は、選択した過電流検出回路２２が所定以上の電流を検出した場合、リレー回路ＲＹをオフにして商用交流電源２からの電力供給を遮断する。前述した通り、過電流検出回路２２は、１次側の整流回路Ｓ１の前段に設けられている。そのため、ＳＯＣ１３１は、例えば１次側で生じる異常のように、２次側回路１０Ｂでの電流増加を伴わない異常がスイッチング電源回路１０に生じた場合でも、商用交流電源２からの電力供給を遮断でき、スイッチング電源回路１０を保護できる。なお、２次側で異常が生じた場合でも１次側の電流が増加するため、ＳＯＣ１３１は、２次側で異常が生じた場合でも商用交流電源２からの電力供給を遮断でき、スイッチング電源回路１０を保護できる。したがって、ＳＯＣ１３１は、確実にスイッチング電源回路１０を保護できる。また、ＳＯＣ１３１は、交流電圧検出回路２１が検出した交流電圧が１００ボルト圏電圧を示す交流電圧か２００ボルト圏電圧を示す交流電圧かに応じて、過電流検出回路２２を選択する。そのため、ＳＯＣ１３１は、スイッチング電源回路１０に接続する商用交流電源２が１００ボルト圏電源か２００ボルト圏電源かに応じて、適切にスイッチング電源回路１０を保護できる。
【００７３】
前述したように、第１過電流検出回路２２Ａは、抵抗Ｒ１１とフォトカプラーＰｃ４とにより構成され、第２過電流検出回路２２Ｂは、抵抗Ｒ１２とフォトカプラーＰｃ５とにより構成される。そして、抵抗Ｒ１１と抵抗Ｒ１２とは、抵抗値が互いに異なる。これにより、スイッチング電源回路１０は、各過電流検出回路２２が具備する抵抗の抵抗値を異ならせることで、１００ボルト圏電源、及び２００ボルト圏電源のそれぞれに対応した過電流検出回路２２を簡易に構成できる。そのため、プリンター電源回路１７は、構成の簡易化を図りつつ、確実にスイッチング電源回路１０の保護できる。
【００７４】
また、突入電流防止用の抵抗Ｒ５を利用して過電流検出回路２２が所定以上の電流を検出できるため、スイッチング電源回路１０は、検出用の抵抗を具備する必要がない。そのため、スイッチング電源回路１０は、さらに構成の簡易化を図ることができる。
【００７５】
なお、本実施形態のプリンター１は、リレー回路ＲＹがオフになった後、例えば図示しない電源スイッチの操作により、再度電源が投入可能に構成される。この場合、ＳＯＣ１３１は、再度上述した動作を実行してリレー回路ＲＹをオフにする。これにより、ＳＯＣ１３１は、スイッチング電源回路１０に生じた異常が拡大することを防止できる。
【００７６】
以上、説明したように、プリンター１は、印刷機構部１４と、１次側の交流電圧を２次側の直流電圧に変換し、印刷機構部１４に直流電圧を供給するスイッチング電源回路１０と、スイッチング電源回路１０を制御するＳＯＣ１３１と、を備える。スイッチング電源回路１０は、１次側の整流回路Ｓ１の前段に、電力供給を制御するリレー回路ＲＹと、交流電圧検出回路２１と、複数の過電流検出回路２２と、を備える。ＳＯＣ１３１は、交流電圧検出回路２１が検出した交流電圧に応じて１の過電流検出回路２２を選択し、選択した過電流検出回路２２が所定以上の電流を検出した場合、リレー回路ＲＹをオフにして、電力供給を遮断する。
【００７７】
この構成によれば、ＳＯＣ１３１は、例えば１次側で生じる異常のように２次側回路１０Ｂでの電流増加を伴わない異常が、スイッチング電源回路１０に生じた場合でも、商用交流電源２からの電力供給を遮断でき、スイッチング電源回路１０を保護できる。したがって、ＳＯＣ１３１は、確実にスイッチング電源回路１０を保護できる。また、ＳＯＣ１３１は、交流電圧検出回路２１が検出した交流電圧が１００ボルト圏電圧を示す交流電圧か２００ボルト圏電圧を示す交流電圧かに応じて、過電流検出回路２２を選択する。そのため、ＳＯＣ１３１は、接続する商用交流電源２が１００ボルト圏電源か２００ボルト圏電源かに応じて、適切にスイッチング電源回路１０を保護できる。
【００７８】
交流電圧検出回路２１は、１００ボルト圏電圧を示す交流電圧、又は、２００ボルト圏電圧を示す交流電圧を検出する。１００ボルト圏電圧と２００ボルト圏電圧とは、少なくとも地域に応じて異なる電圧である。
【００７９】
この構成によれば、接続する商用交流電源２の交流電圧が地域によって異なる場合でも、ＳＯＣ１３１は、商用交流電源２の交流電圧が１００ボルト圏電圧か２００ボルト圏電圧に応じて適切に且つ確実にスイッチング電源回路１０を保護できる。
【００８０】
第１過電流検出回路２２Ａは、抵抗Ｒ１１とフォトカプラーＰｃ４とにより構成され、第２過電流検出回路２２Ｂは、抵抗Ｒ１２とフォトカプラーＰｃ５とにより構成される。抵抗Ｒ１１と抵抗Ｒ１２とは、抵抗値がそれぞれ異なる。
【００８１】
この構成によれば、各過電流検出回路２２が具備する抵抗の抵抗値を異ならせることで、１００ボルト圏電源、及び２００ボルト圏電源のそれぞれに対応した過電流検出回路２２を簡易に構成することができる。そのため、プリンター電源回路１７は、構成の簡易化を図りつつ、確実にスイッチング電源回路１０を保護できる。
【００８２】
抵抗Ｒ１１、及び抵抗Ｒ１２は、突入電流防止用の抵抗Ｒ５と並列に配線されている。
【００８３】
この構成によれば、突入電流防止用の抵抗Ｒ５を利用して過電流検出回路２２が所定以上の電流を検出できるため、スイッチング電源回路１０は、検出用の抵抗を具備する必要がない。そのため、スイッチング電源回路１０は、さらに構成の簡易化を図ることができる。
【００８４】
スイッチング電源回路１０は、電力供給を制御するスイッチ回路としてリレー回路ＲＹを備える。
【００８５】
前述した通り、一般に、リレー回路ＲＹは、トランジスター等に比べて過電流及び過電圧に対する耐久性が高い。そのため、交流電力の供給、及び遮断を行う素子にリレー回路ＲＹを採用することで、過電流及び過電圧に対して耐久性を確保するために、特殊な電子部品や多くの電子部品を具備する必要がない。したがって、プリンター１、及びプリンター電源回路１７は、コストアップの抑制を図りつつ、確実にスイッチング電源回路１０を保護できる。
【００８６】
なお、上述した実施形態は、あくまでも本発明の一態様を示すものであり、本発明の範囲内で任意に変形及び応用が可能である。
【００８７】
例えば、上述した実施形態では、本発明の第１電圧として１００ボルト圏電圧を例示し、本発明の第２電圧として２００ボルト圏電圧を例示した。しかしながら、第１電圧は第２電圧より低い電圧であればよく１００ボルト圏電圧に限定されない。同様に、第２電圧は第１電圧より高い電圧であればよく２００ボルト圏電圧に限定されない。
【００８８】
また、例えば、上述した実施形態では、抵抗Ｒ７〜抵抗Ｒ１０、及びフォトカプラーＰｃ１が１次側回路１０Ａ、及び２次側回路１０Ｂのいずれにも含まれない構成を例示した。しかしながら、抵抗Ｒ７〜抵抗Ｒ１０、及びフォトカプラーＰｃ１は、いずれかの回路に具備される構成でもよい。
【００８９】
例えば、上述した実施形態において、図２に示した回路構成は一例であって、図に示した回路素子を同数または異なる数のＩＣで置き換える等の構成変更が可能であり、本発明の範囲において任意に変更可能である。
【００９０】
また、図１に示した各機能部は構成を示すものであって、具体的な実装形態は特に限定されない。つまり、必ずしも各機能部に個別に対応するハードウェアが実装される必要はなく、一つのプロセッサーがプログラムを実行することで複数の機能部の機能を実現する構成とすることも勿論可能である。また、上述した各実施形態においてソフトウェアで実現される機能の一部をハードウェアとしてもよく、或いは、ハードウェアで実現される機能の一部をハードウェアで実現してもよい。その他、プリンター１の他の各部の具体的な細部構成についても、本発明の趣旨を逸脱しない範囲で任意に変更可能である。
【００９１】
また、例えば、図３の処理単位は、ＳＯＣ１３１の処理を理解容易にするために、主な処理内容に応じて分割したものであり、処理単位の分割の仕方や名称によって、本発明が限定されることはない。処理内容に応じて、されに多くの処理単位に分割してもよい。また、１つの処理単位がさらに多くの処理を含むように分割してもよい。また、その処理の順番は、本発明の趣旨に支障のない範囲で適宜に入れ替えてもよい。
【符号の説明】
【００９２】
１…プリンター（印刷装置）、２…商用交流電源、３…ケーブル、６…負荷、１０…スイッチング電源回路（電源）、１４…印刷機構部、１７…プリンター電源回路（印刷装置の電源回路）、１０Ａ…１次側回路、１０Ｂ…２次側回路、２１…交流電圧検出回路、２２…過電流検出回路、２２Ａ…第１過電流検出回路（過電流検出回路）、２２Ｂ…第２過電流検出回路（過電流検出回路）、２０１…スイッチング回路、２０１Ａ…制御ＩＣ、Ｃ１、Ｃ２…電解コンデンサー、ＤＫ…電磁石、Ｄｐ１〜Ｄｐ４…フォトダイオード、ＧＮＤ１…入力端子、ＧＮＤ２…出力端子、ＩＮ…入力端子、Ｌ１…１次巻線、Ｌ２…２次巻線、ＯＵＴ…出力端子、Ｐ１〜Ｐ７…ノード、Ｐｃ１〜Ｐｃ５…フォトカプラー、Ｑ１、Ｑ２…トランジスター、Ｑｐ１〜Ｑｐ５…フォトトランジスター、Ｒ１〜Ｒ１２…抵抗、ＲＹ…リレー回路（スイッチ回路）、Ｓ１…整流回路、Ｓ２…整流素子、ＳＲ…シャントレギュレーター、ＳＳ…操作子、Ｔ１…フィードバック端子、Ｔ２、Ｔ６…出力端子、Ｔ３…検出端子、Ｔ４、Ｔ５…端子、Ｔ７〜Ｔ１０…入力端子、ＴＲ…トランス、Ｖｉｎ…入力電圧、Ｖｏｕｔ…出力電圧、ＺＤ１〜ＺＤ３…ツェナーダイオード。
【図１】
2020031496.tif 000003
【図２】
2020031496.tif 000004
【図３】
2020031496.tif 000005